(57)【要約】【課題】簡単な操作で表示画面をユーザに向かって正面の状態から微妙にずれた状態に微調整でき、利便性が向上する表示装置を提供する。【解決手段】リモコン４が有するスイーベル用キーが押される度に、各受信部６ａ、６ｂでリモコン４からの赤外線信号の受信タイミングにずれが生じない筐体２の姿勢である第１の姿勢、該第１の姿勢から上下軸周りに一方向に所定角度回転した筐体２の姿勢である第２の姿勢、前記第１の姿勢から上下軸周りに前記一方向と逆方向に所定角度回転した筐体２の姿勢である第３の姿勢、の各姿勢を筐体２が順次とる。【選択図】図１
2007212594.tif 000002
【特許請求の範囲】
【請求項１】
表示画面と二つの受信手段とを有する回転自在な筐体を備えた表示装置であって、
前記各受信手段がリモコン装置から無線信号を受信するタイミングにずれが生じない前記筐体の姿勢を第一の姿勢、
該第一の姿勢から一方向に所定角度だけ回転した前記筐体の姿勢を第二の姿勢、
前記第一の姿勢から前記一方向の逆方向に所定角度だけ回転した前記筐体の姿勢を第三の姿勢、とした場合に、
前記リモコン装置が有する所定の一つの操作手段が操作されたことを示す無線信号を前記リモコン装置から前記各受信手段が受信する度に、前記第一の姿勢から前記第二の姿勢へ、前記第二の姿勢から前記第一の姿勢へ、前記第一の姿勢から前記第三の姿勢へ、前記第三の姿勢から前記第一の姿勢へ、の順に前記筐体の姿勢が順次変化するよう前記筐体を回転させる制御手段を備えることを特徴とする表示装置。
【発明の詳細な説明】
【技術分野】
【０００１】
本発明は、表示装置に関するものである。
【背景技術】
【０００２】
昨今、リモコン操作により表示画面が回転し、ユーザの所望する方向に表示画面を調整できるテレビ等の表示装置が開発されている。
【０００３】
このような表示装置に関連するものとして、非特許文献１に、次のようなテレビ等を載置する回転台が開示されている。この回転台は、回転する可動台の前面に複数の赤外線受光センサが設けられている。そして、リモコンのある一つのキーをユーザが押すと、リモコンから赤外光が射出され、上記赤外線受光センサが赤外光を受信するが、可動台のリモコンに対する向きにより、複数の赤外線受光センサ間で受光した赤外光の検出信号レベルに差が生じる。そして、このレベル差がなくなるまでモータにより可動台を回転させることで可動台をリモコン操作者の方へ向ける。
【０００４】
これにより、ユーザはリモコンの一つのキーによる操作で、回転台に載置されたテレビ等の表示画面を自分の方へ向けることができる。
【非特許文献１】実開平７−２９９６８号公報
【発明の開示】
【発明が解決しようとする課題】
【０００５】
ここで、ユーザは光の表示画面への写り込み等により、表示画面を自分に向かって正面ではなく、微妙にずらして調整したい場合がある。しかし、上記従来技術では、一度表示画面が正面の位置に来ると、このような表示画面の微調整をするにはユーザがリモコンの位置を変えてリモコン操作する必要があり面倒である。
【０００６】
そこで本発明は、簡単な操作で表示画面をユーザに向かって正面の状態から微妙にずれた状態に微調整でき、利便性が向上する表示装置を提供することを目的とする。
【課題を解決するための手段】
【０００７】
上記目的を達成するために本発明の表示装置は、表示画面と二つの受信手段とを有する回転自在な筐体を備えた表示装置であって、
前記各受信手段がリモコン装置から無線信号を受信するタイミングにずれが生じない前記筐体の姿勢を第一の姿勢、
該第一の姿勢から一方向に所定角度だけ回転した前記筐体の姿勢を第二の姿勢、
前記第一の姿勢から前記一方向の逆方向に所定角度だけ回転した前記筐体の姿勢を第三の姿勢、とした場合に、
前記リモコン装置が有する所定の一つの操作手段が操作されたことを示す無線信号を前記リモコン装置から前記各受信手段が受信する度に、前記第一の姿勢から前記第二の姿勢へ、前記第二の姿勢から前記第一の姿勢へ、前記第一の姿勢から前記第三の姿勢へ、前記第三の姿勢から前記第一の姿勢へ、の順に前記筐体の姿勢が順次変化するよう前記筐体を回転させる制御手段を備えることを特徴とする。
【０００８】
このような構成によれば、ユーザはリモコン装置の位置を変えずにリモコン装置の一つの操作手段による操作だけで、表示画面の方向を、自分に向かって正面を向いた状態から微妙にずれた状態に微調整することができ、利便性が向上する。
【発明の効果】
【０００９】
本発明の表示装置によれば、簡単な操作で表示画面をユーザに向かって正面の状態から微妙にずれた状態に微調整でき、利便性が向上する。
【発明を実施するための最良の形態】
【００１０】
以下、本発明の実施形態についてテレビを例として図面を参照しつつ説明する。図１に、本発明に係るテレビの模式的正面図を示す。
【００１１】
テレビ１は、筐体２、筐体３、表示画面５、受信部６ａ、受信部６ｂを備える。表示画面５および各受信部６ａ、６ｂは筐体２の前面に設けられ、各受信部６ａ、６ｂは、表示画面５を挟むように左右に配置される。ここで、図２はテレビ１を上から見た模式図であるが、このように筐体２は、筐体３に対して上下軸周りに回転可能であり、筐体２に設けられる表示画面５および各受信部６ａ、６ｂも筐体２と共に回転する。筐体２は、後述するようにリモコン４の操作によって回転する。このような回転機能は一般的にスイーベル機能と呼ばれる。
【００１２】
また、図３に、テレビ１とリモコン４の各構成を示すブロック図を示す。ただし、本発明に関わる部分を示す。
【００１３】
テレビ１は、受信部６ａ、受信部６ｂ、制御部７、駆動部８、モータ９、記憶部１０を有する。モータ９は、筐体３（図１）内部に設けられ、同じく筐体３内部に設けられるギヤを介して筐体２を回転させる。
【００１４】
また、リモコン４は、操作部１１、制御部１２、送信部１３を有する。
【００１５】
以下、リモコン４の操作によるテレビ１の本発明の特徴的動作について、図４で示すフローチャートに沿って説明する。
【００１６】
リモコン４の操作部１１は複数のキーを有し、そのうちの一つがユーザにより押し下げられると、操作部１１から制御部１２に操作信号が送出され、制御部１２は押されたキーに対応するコード信号を送信部１３に送出する。そして、送信部１３は受信したコード信号を変調し赤外線信号をテレビ１に向かって送信する。操作部１１は、スイーベル用キー、チャンネル切替用キー、音量設定用キー等を有する。なお、スイーベル用キーはレバー等他の操作手段としてもよい。
【００１７】
そして、この赤外線信号をテレビ１の各受信部６ａ、６ｂが受信し、復調してコード信号を制御部７に送出する。各受信部６ａ、６ｂとリモコン４の送信部１３との位置関係によっては各受信部６ａ、６ｂで赤外線信号の受信タイミングがずれ、制御部７が復調されたコード信号を受信するタイミングもずれる。そこで、図４のステップＳ１で制御部７は、受信部６ａと受信部６ｂのどちらから先にコード信号を受信したか、あるいは受信タイミングにずれが無かったかを検出する。
【００１８】
そして、ステップＳ２で制御部７は、受信したコード信号がスイーベル用キーに対応するものか否かを判定する。もし、コード信号がチャンネル切替用キーや音量設定用キー等に対応するものであれば（ステップＳ２のＮ）、ステップＳ８に進み、コード信号に対応する制御動作を行い、ステップは終了する。もし、コード信号がスイーベル用キーに対応するものであれば（ステップ２のＹ）、ステップＳ３に進む。
【００１９】
そして、制御部７は、上記ステップＳ１での検出結果により、コード信号の受信タイミングにずれが無かった場合（ステップＳ３のＮ）、後述するステップＳ７に進み、受信タイミングにずれがあった場合（ステップＳ３のＹ）、ステップＳ４に進む。
【００２０】
ステップＳ４では、制御部７は、筐体２をどちらの方向に回転するか決定する。もし、上記ステップＳ１で受信部６ａから先にコード信号を受信したことが検出されていれば、制御部７は、受信部６ｂが前進するような方向に筐体２を回転させることを決定する。またもし、上記ステップＳ１で受信部６ｂから先にコード信号を受信したことが検出されていれば、制御部７は、受信部６ａが前進するような方向に筐体２を回転させることを決定する。ステップＳ４の後、ステップＳ５に進む。
【００２１】
ステップＳ５で、制御部７は、記憶部１０に記憶されている回転方向情報を読み出し、上記ステップＳ４で決定した筐体２の回転方向と比較する。なお、初期状態で記憶部１０には、いずれかの回転方向の情報が記憶されている。両者の回転方向が一致する場合（ステップＳ５のＹ）は後述するステップＳ７に進み、一致しない場合（ステップＳ５のＮ）はステップＳ６に進む。
【００２２】
ステップＳ６では、制御部７は、記憶部１０に記憶されている回転方向情報を上記ステップＳ４で決定した回転方向に書き換える。その後、ステップＳ７に進む。
【００２３】
そして、ステップＳ７で、制御部７は、記憶部１０に記憶されている回転方向情報が表す回転方向に筐体２を所定角度だけ回転させるよう駆動部８を用いてモータ９を駆動する。このときの所定角度は、固定値でもよいし、ユーザがリモコン４やテレビ１の操作部を用いて設定した値でもよい。
【００２４】
以上でステップは終了する。
【００２５】
ここで、例えば、図５（ａ）のように、受信部６ａが受信部６ｂより後ろに位置するように筐体２が傾いた姿勢にある状態で、表示画面５の正面よりも左側の位置でリモコン４のスイーベル用キーをユーザが押したとする。以降、リモコンの位置は変わらないものとする。すると、リモコン４の送信部１３から受信部６ｂまでの距離が送信部１３から受信部６ａまでの距離よりも短いから、受信部６ｂが先に赤外線信号を受信し、図４のステップＳ１で制御部７は、受信部６ｂから先にコード信号を受信したことを検出する。
【００２６】
そして、ステップＳ２およびＳ３ではＹであるので、ステップＳ４に進む。ここで、ステップＳ１で受信部６ｂから先にコード信号を受信したことが検出されているから、制御部７は、受信部６ａが前進するような方向に筐体２を回転させることを決定する。つまり、テレビ１を上から見た図５における反時計回りの方向に決定する。以下、回転方向を時計回りか反時計回りかで説明する。
【００２７】
次にステップＳ５に進む。ここで記憶部１０に反時計回りを表す回転方向情報が記憶されていれば、ステップＳ５のＹであるから、ステップＳ７に進む。また、記憶部１０に時計回りを表す回転方向情報が記憶されていれば、ステップＳ５のＮであるから、ステップＳ６に進み、記憶部１０の回転方向情報を反時計回りに書き換え、ステップＳ７に進む。
【００２８】
そして、ステップＳ７で、制御部７は、記憶部１０に記憶されている回転方向情報が表す回転方向、つまり反時計周りに筐体２を所定角度だけ回転させるよう駆動部８を用いてモータ９を駆動する。これで、筐体２が所定角度だけ反時計回りに回転する。
【００２９】
そして以降、リモコン４のスイーベル用キーが押される度に、図４のステップＳ１、Ｓ２、Ｓ３、Ｓ４、Ｓ５、Ｓ７の順に処理が行われ、筐体２は所定角度ずつ反時計回りに回転していく。
【００３０】
そして、あるところで図５（ｂ）の実線部分のように、表示画面５の正面にリモコン４が位置し、リモコン４の送信部１３から各受信部６ａ、６ｂまでの距離が等しくなるような姿勢を筐体２がとる。ここで、リモコン４のスイーベル用キーが押されると、各受信部６ａ、６ｂで赤外線信号を受信するタイミングにずれがないから、図４のステップＳ１で制御部７は、各受信部６ａ、６ｂからのコード信号の受信タイミングにずれがないことを検出する。
【００３１】
そして、ステップＳ２を経過してステップＳ３に進み、ここではＮであるから、ステップＳ７に進む。ここで記憶部１０には回転方向情報として反時計回りが記憶されているから、制御部７は、反時計周りに筐体２を所定角度だけ回転させるよう駆動部８を用いてモータ９を駆動する。これで、各受信部６ａ、６ｂで赤外線信号を受信するタイミングにずれが生じない先ほどの筐体２の姿勢（図５（ｂ）の実線部分）から所定角度だけ反時計回りに回転した姿勢（図５（ｂ）の一点鎖線部分）を筐体２はとることとなる。
【００３２】
さらにここでリモコン４のスイーベル用キーが押されると、リモコン４の送信部１３から受信部６ａまでの距離が送信部１３から受信部６ｂまでの距離よりも短いから、受信部６ａが先に赤外線信号を受信し、図４のステップＳ１で制御部７は、受信部６ａから先にコード信号を受信したことを検出する。
【００３３】
そして、ステップＳ２およびＳ３ではＹであるので、ステップＳ４に進む。ここで、ステップＳ１で受信部６ａから先にコード信号を受信したことが検出されているから、制御部７は、受信部６ｂが前進するような方向、つまり時計回りに筐体２を回転させることを決定する。
【００３４】
次にステップＳ５に進む。ここで記憶部１０には反時計回りを表す回転方向情報が記憶されていて、先のステップＳ４で決定した時計回りとは一致しないので、ステップＳ５のＮであるから、ステップＳ６に進み、記憶部１０の回転方向情報を時計回りに書き換え、ステップＳ７に進む。
【００３５】
そして、ステップＳ７で、制御部７は、記憶部１０に記憶されている回転方向情報が表す回転方向、つまり時計周りに筐体２を所定角度だけ回転させるよう駆動部８を用いてモータ９を駆動する。これで、各受信部６ａ、６ｂで赤外線信号を受信するタイミングにずれが生じない姿勢（図５（ｂ）の実線部分）を再び筐体２はとることとなる。
【００３６】
ここでさらに、リモコン４のスイーベル用キーが押されると、各受信部６ａ、６ｂで赤外線信号を受信するタイミングにずれがないから、図４のステップＳ１で制御部７は、各受信部６ａ、６ｂからのコード信号の受信タイミングにずれがないことを検出する。
【００３７】
そして、ステップＳ２を経過してステップＳ３に進み、ここではＮであるから、ステップＳ７に進む。ここで記憶部１０には回転方向情報として時計回りが記憶されているから、制御部７は、時計周りに筐体２を所定角度だけ回転させるよう駆動部８を用いてモータ９を駆動する。これで、各受信部６ａ、６ｂで赤外線信号を受信するタイミングにずれが生じない先ほどの筐体２の姿勢（図５（ｂ）の実線部分）から所定角度だけ時計回りに回転した姿勢（図５（ｂ）の二点鎖線部分）を筐体２はとることとなる。
【００３８】
さらにここでリモコン４のスイーベル用キーが押されると、リモコン４の送信部１３から受信部６ｂまでの距離が送信部１３から受信部６ａまでの距離よりも短いから、受信部６ｂが先に赤外線信号を受信し、図４のステップＳ１で制御部７は、受信部６ｂから先にコード信号を受信したことを検出する。
【００３９】
そして、ステップＳ２およびＳ３ではＹであるので、ステップＳ４に進む。ここで、上記ステップＳ１で受信部６ｂから先にコード信号を受信したことが検出されているから、制御部７は、受信部６ａが前進するような方向、つまり反時計回りに筐体２を回転させることを決定する。
【００４０】
次にステップＳ５に進む。ここで記憶部１０には時計回りを表す回転方向情報が記憶されていて、先のステップＳ４で決定した反時計回りとは一致しないので、ステップＳ５のＮであるから、ステップＳ６に進み、記憶部１０の回転方向情報を反時計回りに書き換え、ステップＳ７に進む。
【００４１】
そして、ステップＳ７で、制御部７は、記憶部１０に記憶されている回転方向情報が表す回転方向、つまり反時計周りに筐体２を所定角度だけ回転させるよう駆動部８を用いてモータ９を駆動する。これで、各受信部６ａ、６ｂで赤外線信号を受信するタイミングにずれが生じない姿勢（図５（ｂ）の実線部分）を再び筐体２はとることとなる。
【００４２】
このように、リモコン４のスイーベル用キーが押される度に、上記のようなステップで処理が行われ、各受信部６ａ、６ｂで赤外線信号を受信するタイミングにずれが生じない筐体２の姿勢を第１の姿勢（図５（ｂ）の実線部分）、該第１の姿勢から反時計回りに所定角度だけ回転した筐体２の姿勢を第２の姿勢（図５（ｂ）の一点鎖線部分）、前記第１の姿勢から時計回りに所定角度だけ回転した筐体２の姿勢を第３の姿勢（図５（ｂ）の二点鎖線部分）とすれば、第１の姿勢→第２の姿勢→第１の姿勢→第３の姿勢→第１の姿勢→・・・・というように筐体２は順次姿勢を変化させることとなる。
【００４３】
これにより、ユーザはリモコンの位置を変えずにスイーベル用キーという一つのキーによる操作だけで、表示画面の方向を、自分に向かって正面を向いた状態から微妙にずれた状態に微調整することができ、利便性が向上する。
【００４４】
なお、以上の実施形態はスイーベル機能についてであったが、いわゆるチルト機能にも本発明は適用可能であり、表示画面５を挟むように受信部６ａ、受信部６ｂを上下に配置し、筐体２の左右軸周りの回転を制御してもよい。
【００４５】
また、本発明はテレビに限らず、ＰＣ用モニター等他の表示装置にも適用可能である。
【図面の簡単な説明】
【００４６】
【図１】は、本発明に係るテレビの模式的正面図である。
【図２】は、本発明に係るテレビの筐体の回転を上から見た模式図である。
【図３】は、本発明に係るテレビおよびリモコンの構成を示すブロック図である。
【図４】は、本発明に係るテレビの動作を示すフローチャートである。
【図５】は、本発明に係るテレビの筐体の回転動作例を示す模式的上面図である。
【符号の説明】
【００４７】
１    テレビ
２    筐体
３    筐体
４    リモコン
５    表示画面
６ａ、６ｂ    受信部
７    制御部
８    駆動部
９    モータ
１０    記憶部
１１    操作部
１２    制御部
１３    送信部
【図１】
2007212594.tif 000003
【図５】
2007212594.tif 000004
【図２】
2007212594.tif 000005
【図３】
2007212594.tif 000006
【図４】
2007212594.tif 000007